(57)【要約】【課題】譜面台に過度の荷重がかかった場合であっても、本体ケースの変形や破損を防止することができるとともに、外観デザインの自由度を確保することができる筐体構造を備えた鍵盤楽器を提供する。【解決手段】楽器本体の内部に譜面立て取付部材２００が設けられ、譜面立て取付部材２００の装着穴２３２に装着された譜面立て１８０の先端側を押し下げるような方向に力が加わると、譜面立て取付部材２００の上端側の本体固定部２２２を支点部として回転モーメントが発生し、譜面立て取付部材２００の下端側の本体当接部２４２を作用点部として回転させる力が働き、下ケース１２４の内面側に突出して設けられた回転抑止部１５４に本体当接部２４２が当接する。このとき、回転抑止部１５４は、回転モーメントにより本体当接部２４２から受ける力に対抗して、譜面立て取付部材２００の下端側の回転を抑止する。【選択図】図１１
2020101633.tif 000002
【特許請求の範囲】
【請求項１】
楽器ケースに固定されている固定部と、譜面立て部材を装着するための装着部と、前記譜面立て部材が前記装着部に装着されている状態で前記譜面立て部材に対して加えられた第１方向への力に応じて第２方向への力が生じる作用点部と、を含む取付部材を備え、
前記楽器ケースには、前記作用点部に生じる前記第２方向への力に対抗する対抗部材が前記作用点部に対応して設けられていることを特徴とする楽器。
【請求項２】
請求項１に記載の楽器において、
前記作用点部は前記楽器ケース内で固定されていないことにより、前記譜面立て部材に対して前記第１方向に力が加えられたときに、前記作用点部は前記第２方向に変位することを特徴とする楽器。
【請求項３】
請求項１又は２に記載の楽器において、
前記固定部と、前記装着部と、は、第１の部材に設けられ、
前記作用点部は、第２の部材に設けられている、
ことを特徴とする楽器。
【請求項４】
請求項３に記載の楽器において、
前記第１の部材は、樹脂材料により成形され、
前記第２の部材は、金属材料により成形されている、
ことを特徴とする楽器。
【請求項５】
請求項３又は４に記載の楽器において、
前記第２の部材は、前記第２方向への力に対抗するように、少なくとも前記取付部材の前記固定部側で前記第１の部材を固定していることを特徴とする楽器。
【請求項６】
請求項１乃至５のいずれかに記載の楽器において、
前記対抗部材は、前記第２方向への力に対抗するために突出している突出部を含み、
前記譜面立て部材に対して前記第１方向に力が加えられたときに、前記作用点部が前記突出部に当接することを特徴とする楽器。
【請求項７】
請求項１乃至６のいずれかに記載の楽器において、
前記固定部は、前記楽器ケースの上側に固定されており、
前記作用点部及び対抗部材は、前記楽器ケースの下側に設けられている、
ことを特徴とする楽器。
【請求項８】
請求項１乃至７のいずれかに記載の楽器において、
前記楽器ケース内に鍵盤が設けられており、
前記取付部材及び前記対抗部材は、前記鍵盤の後方側に設けられている、
ことを特徴とする楽器。
【発明の詳細な説明】
【技術分野】
【０００１】
この発明は、電子キーボードや電子ピアノ等の譜面台を備えた楽器に関する。
【背景技術】
【０００２】
従来、電子キーボードや電子ピアノ等の電子楽器においては、演奏時に譜面を載置するための譜面台を備えている。例えば特許文献１には、電子鍵盤楽器の本体ケースの天板に譜面台を挿入するための譜面台挿入溝が、本体ケースの左右方向（長手方向）に延在するように設けられている。
【先行技術文献】
【特許文献】
【０００３】
【特許文献１】特開２００５−２８４１４６号公報
【発明の概要】
【発明が解決しようとする課題】
【０００４】
上述した特許文献等に記載された電子鍵盤楽器においては、譜面台に譜面の重量を超える想定外の荷重がかかった場合には、譜面台挿入溝周辺の本体ケースに変形や破損が生じるという問題を有している。また、本体ケースの強度を高めるために譜面台挿入溝周辺に補強部材を設けると、電子鍵盤楽器の外観デザインを損なうという問題を有している。
【０００５】
そこで、本発明は、譜面台に過度の荷重が加わった場合であっても、外観デザインに影響を及ぼすことなく、本体ケースの変形や破損を防止することができる筐体構造を備えた楽器を提供することを目的とする。
【課題を解決するための手段】
【０００６】
本発明の一態様に係る楽器は、
楽器ケースに固定されている固定部と、譜面立て部材を装着するための装着部と、前記譜面立て部材が前記装着部に装着されている状態で前記譜面立て部材に対して加えられた第１方向への力に応じて第２方向への力が生じる作用点部と、を含む取付部材を備え、
前記楽器ケースには、前記作用点部に生じる前記第２方向への力に対抗する対抗部材が前記作用点部に対応して設けられている。
【発明の効果】
【０００７】
この発明によれば、譜面台に荷重が加わった場合であっても、外観デザインに影響を及ぼすことなく、本体ケースの変形や破損を防止することができる。
【図面の簡単な説明】
【０００８】
【図１】本発明に係る鍵盤楽器の一実施形態を示す全体外観図である。
【図２】一実施形態に係る鍵盤楽器の楽器本体の構造例を示す概略組み付け図である。
【図３】一実施形態に係る鍵盤楽器の楽器本体を示す概略断面図である。
【図４】一実施形態に係る鍵盤楽器の楽器本体の要部を示す斜視断面図である。
【図５】一実施形態に係る鍵盤楽器に適用される譜面立ての一例を示す概略図である。
【図６】一実施形態に係る鍵盤楽器に適用される譜面立て取付部材の一例を示す概略斜視図である。
【図７】一実施形態に適用される譜面立て取付部材の一例を示す三面図である。
【図８】一実施形態に適用される譜面立て取付部材の組み付け構造を示す概略斜視図である。
【図９】一実施形態に係る鍵盤楽器に適用される下ケースの要部を示す斜視断面図である。
【図１０】一実施形態に適用される下ケースと譜面立て取付部材との関係を示す要部断面図である。
【図１１】一実施形態に係る鍵盤楽器に生じるモーメントを説明するための概略断面図である。
【図１２】一実施形態における作用効果を説明するための要部断面図である。
【発明を実施するための形態】
【０００９】
以下、本発明を実施するための形態について、図面を参照しながら詳しく説明する。
（鍵盤楽器）
図１は、本発明に係る楽器に適用される鍵盤楽器の一実施形態を示す全体外観図である。図１（ａ）は鍵盤楽器のユーザ側（前方側）から見た斜視図であり、図１（ｂ）は鍵盤楽器の背面側（後方側）から見た斜視図である。また、図２は、本実施形態に係る鍵盤楽器の楽器本体の構造例を示す概略組み付け図であり、図３は、本実施形態に係る鍵盤楽器の楽器本体を示す概略断面図であり、図４は、本実施形態に係る鍵盤楽器の楽器本体の要部を示す斜視断面図である。図５は、本実施形態に係る鍵盤楽器に適用される譜面立ての一例を示す概略図である。なお、本実施形態においては、本発明に係る楽器の一例として電子鍵盤楽器を示して説明するが、譜面台を装着可能な筐体構造を有するものであれば他の楽器であってもよい。
【００１０】
本発明に係る楽器に適用される鍵盤楽器１００は、例えば図１に示すように、概略、楽器本体と譜面立て（譜面立て部材）１８０とを有している。楽器本体は、図面左右方向に延在する本体ケース（楽器ケース）１２０と、ユーザ側となる本体ケースの前方側（図１（ａ）の手前側）に鍵盤が露出するように組み込まれた鍵盤ユニット１６０と、を有し、譜面立て１８０は、本体ケース１２０の後方側（図１（ａ）の奥側）の背面に装着されている。
【００１１】
本体ケース１２０は、例えば図２、図３に示すように、上ケース１２２と下ケース１２４とを有し、これらのケース１２２、１２４の間に鍵盤ユニット１６０が組み込まれている。上ケース１２２は、前方側（図面手前側）に鍵盤ユニット１６０の各鍵が露出する開口部１４２を備えた枠体を有し、開口部１４２の後方側（図面奥側）の上面（天面）１４０には、音量調整や音色選択等の操作を行うためのスイッチ類や、演奏中の楽曲に関する情報や各種の設定情報等を表示するための表示パネル等を備えた操作パネル１４４が配置されている。ここで、操作パネル１４４は、押しボタンやスライダ、ダイヤル型スイッチ等の物理スイッチを有するものであってもよいし、透明又は半透明の上ケース１２２の内側にタッチパネル型の各種スイッチが組み込まれているものであってもよい。また、上ケース１２２には、ユーザによる押鍵操作により指定された音高に応じた楽音を生成する音源回路基板１４６や、生成された楽音を発音するスピーカ１４８等が組み込まれている。また、上ケース１２２の背面には、図１（ｂ）、図４に示すように、譜面立て１８０が着脱可能に装着される装着穴（装着部）２３２が設けられている。
【００１２】
鍵盤ユニット１６０は、演奏操作子としての複数の鍵を有し、ユーザが押鍵操作を行うことにより音高が指定される。鍵盤ユニット１６０は、図１（ａ）、図２に示すように、鍵盤楽器１００の長手方向（図面左右方向）に複数の白鍵１６２及び黒鍵１６４が所定の順序で規則的に配列されている。ここでは、鍵盤ユニット１６０は、合計８８個の白鍵１６２及び黒鍵１６４が配列されている。
【００１３】
鍵盤ユニット１６０及び上ケース１２２は、下ケース１２４の内面側（図２、図３の上面側）に組み付けられる。これにより、鍵盤ユニット１６０は、上ケース１２２の開口部１４２から露出した前方側（図２の手前側）の鍵盤部分がユーザによる押鍵操作が行われる領域となり、後方側（図面奥側）は上ケース１２２の内部に収納される。
【００１４】
譜面立て１８０は、所望の楽曲の譜面や楽曲集、表示パネルに楽譜を表示させたタブレット等が載置される。譜面立て１８０は、例えば図５に示すように、譜面立て本体１８２から突出する棒状の装着突起部１８４を有し、図４に示した本体ケース１２０（上ケース１２２）の背面に設けられた装着穴２３２に装着突起部１８４を差し込むことにより、楽器本体に対して着脱可能に装着される。
【００１５】
ここで、譜面立て１８０は、図１（又は、後述する図１１）に示すように、本体ケース１２０に装着された状態で、ユーザ側である本体ケース１２０の前方側から見て譜面立て１８０に載置される譜面（図示を省略）が本体ケース１２０の後方側に傾斜するように装着される。すなわち、譜面立て１８０は、楽器本体が載置される平面に対して、譜面立て本体１８２が所定の角度（例えば４５°や６０°等）で傾斜するように先端側（図１（ａ）の奥側、後述する図１１の右端部）が上方に位置するように設計されている。なお、図３、図４に示した楽器本体の断面構造において、１６６は、白鍵１６２及び黒鍵１６４のそれぞれに個別に連結され、押鍵操作に伴ってアクション荷重を付与するためのハンマー部材であり、１６８は、白鍵１６２及び黒鍵１６４に対する押鍵操作に応じてオン動作し、楽音情報を生成させるためのスイッチ部である。
【００１６】
（譜面立て取付部材）
図６は、本実施形態に係る鍵盤楽器に適用される譜面立て取付部材の一例を示す概略斜視図であり、図７は、本実施形態に適用される譜面立て取付部材の一例を示す三面図である。ここで、図７（ａ）は譜面立て取付部材の外観を示す三面図であり、図７（ｂ）は譜面立て取付部材の要部断面図である。図８は、本実施形態に適用される譜面立て取付部材の組み付け構造を示す概略斜視図である。ここで、図８（ａ）は上側部材の装着穴側から見た図であり、図８（ｂ）は下側部材側から見た図である。
【００１７】
本実施形態においては、図３、図４に示すように、本体ケース１２０の内部の鍵盤ユニット１６０の後方側（図面右方側）に譜面立て取付部材２００が設けられている。譜面立て１８０は、本体ケース１２０（上ケース１２２）の背面に露出する譜面立て取付部材２００の装着穴２３２に装着突起部１８４を差し込むことにより装着される。
【００１８】
譜面立て取付部材２００は、具体的には、例えば図６、図７（ａ）、図８に示すように、基部である上側部材（第１の部材）２２０と、基部を特定の方向（図面下方向）に延長するための延長部である下側部材（第２の部材）２４０と、を有し、これらの部材２２０、２４０が一体的に組み付けられている。
【００１９】
譜面立て取付部材２００の上側部材２２０は、上端側（図６の上方側）に、本体ケース１２０の上ケース１２２の上面（天面）１４０側に内側から取り付け固定される本体固定部２２２と、上ケース１２２の背面側（図４の右側面）に面して設けられ、譜面立て１８０が装着される装着穴２３２と、を有している。
【００２０】
本体固定部２２２は、例えば図６、図７に示すように、上ケース１２２に直接、あるいは、上ケース１２２の上面（天面）１４０の内側に配置された内ケース（図３、図４参照）１２６に取り付けるための取付穴２２６が設けられた取付プレート２２４を有している。本体固定部２２２は、図３、図４に示すように、本体ケース１２０の内側から取付プレート２２４の１乃至複数箇所の取付穴２２６を介してネジ２３０により締結（ネジ締め）することにより上ケース１２２側に取り付け固定される。ここで、取付プレート２２４は、上ケース１２２又は内ケース１２６に全域で密着して固定されるものであってもよいし、取付穴２２６周辺の領域のみが上ケース１２２又は内ケース１２６に密着しているものであってもよいし、取付穴２２６周辺の領域に加え、図６、図７に示すように所定の位置に配置された支持突起２２８が上ケース１２２又は内ケース１２６に密着して複数点で支持固定されているものであってもよい。また、上ケース１２２の内側に配置される内ケース１２６は、例えば上ケース１２２の上面（天面）１４０に配置される操作パネル１４４にタッチパネル型のスイッチを適用した場合に、各スイッチを表示する表示デバイスやタッチセンサ、制御回路等を搭載するための支持部材を適用することができる。
【００２１】
装着穴２３２は、例えば図４に示すように、上記の本体固定部２２２を上ケース１２２の上面１４０側に内側から取り付けた状態で、本体ケース１２０（上ケース１２２）の背面に設けられたケース穴部１２８から露出するように設けられている。装着穴２３２は、図７（ｂ）に示すように、本体ケース１２０の背面側（図面右方側）から楽器本体の内部方向（図面左下方向）に向けて内径が徐々に小さくなる略円錐台形状の凹部を有している。これにより、譜面立て１８０の装着時に、本体ケース１２０の背面に露出する装着穴２３２の入口付近では内径が大きく形成されているので、譜面立て１８０の装着突起部１８４を挿入しやすく、また、装着穴２３２の奥側（楽器本体の内部方向）に行くほど内径が小さく形成されているので、後述する図１１に示すように、譜面立て１８０の自重により装着突起部１８４が装着穴２３２の内壁に密着して譜面立て１８０が安定的に装着固定される。
【００２２】
また、譜面立て取付部材２００の下側部材２４０は、下端側（図６の下方側）に、本体ケース１２０の下ケース１２４側に当接する本体当接部（作用点部）２４２を有している。本体当接部２４２は、例えば図３（又は、後述する図１０、図１１）に示すように、上側部材２２０の本体固定部２２２が上ケース１２２の上面（天面）１４０側に内側から取り付けられた状態で、下ケース１２４の内面側に設けられた回転抑止部（対抗部材）１５４に対して、僅かな間隙を有して離間、又は、軽く接触している。すなわち、本体当接部２４２が設けられる譜面立て取付部材２００の下端側は、本体ケース１２０内のどこにも固定されていない自由端の状態にある。そして、後述するように、例えば本体ケース１２０に装着された譜面立て１８０に対して想定を超える過度の荷重が加わることにより、譜面立て１８０を押し下げる方向（第１方向）に力が加わった場合に、本体当接部２４２は、モーメントにより譜面立て取付部材２００に生じる回転方向（図面左方向；第２方向）に変位して、下ケース１２４側の回転抑止部１５４を回転方向にモーメントに応じた力で押圧するように当接する。
【００２３】
本実施形態においては、譜面立て取付部材２００の上側部材２２０と下側部材２４０とは、例えば図７（ｂ）、図８に示すように、１乃至複数箇所でネジ２４４、２４６により締結することにより一体的に組み付けられる。本実施形態においては、例えば図７（ｂ）に示すように、上側部材２２０の上端側の取付プレート２２４の近傍（図面左側面）と、取付プレート２２４に対向する下端側（図面下面）の二箇所にネジ締め位置が設定され、それぞれ上側部材２２０の内部方向に向かってネジ２４４、２４６により締結することにより、上側部材２２０と下側部材２４０とが一体的に組み付けられる。
【００２４】
上側部材２２０と下側部材２４０とを組み付けるためのネジ締めの数や位置（配置）、締結の方向は、譜面立て取付部材２００に上記の回転モーメントが生じて、下側部材２４０の本体当接部２４２が下ケース１２４側の回転抑止部１５４を回転方向に押圧した場合であっても、当該押圧力に対抗して上側部材２２０と下側部材２４０との組み付け状態が良好に保持されるように設定される。具体的には、ネジ締めは、譜面立て取付部材２００に装着された譜面立て１８０に荷重が加わった場合に、譜面立て取付部材２００に生じる回転モーメントの方向を含む平面（図３又は図７（ｂ）の紙面に沿った平面）内に配置され、かつ、回転モーメントの支点に向かう方向に設定されていることが好ましい。本実施形態においては、図７（ｂ）、図８に示したように、上側部材２２０の上端側の取付プレート２２４の近傍の位置のネジ締めでは、譜面立て取付部材２００の短手方向（図７（ｂ）の右方向）Ｄ１に設定され、上側部材２２０の下端側の位置のネジ締めでは、譜面立て取付部材２００の長手方向（図７（ｂ）の上方向）Ｄ２に設定されている。
【００２５】
ここで、仮に、上側部材２２０と下側部材２４０とのネジ締めを、上記の回転モーメントの方向を含む平面内以外の位置や締結方向に設定した場合には、譜面立て１８０の自重や過度の荷重が加わることにより、ネジ締めされた上側部材２２０と下側部材２４０との密着性が低下してがたつきやずれが生じ易くなる。これに対して、本実施形態においては、譜面立て取付部材２００に生じる回転モーメントの方向を含む平面内にネジ締めの位置を設定し、回転モーメントの略支点方向に締結方向を設定しているので、上記の密着性の劣化の問題を良好に解消して、譜面立て取付部材２００に生じる回転モーメントを良好に打ち消すことができる。また、本実施形態によれば、後述するように、上側部材２２０として樹脂成形部品を適用した場合には、樹脂成形工程においてネジ穴の位置や締結方向を型抜き方向（金型の分離方向）に対応させて設定することができるので、上側部材２２０を良好かつ容易に製造することができる。
【００２６】
また、譜面立て取付部材２００の上側部材２２０と下側部材２４０には、例えば図６（ｂ）、図７（ｂ）、図８（ｂ）に示すように、組み付け作業を支援するための組み付け案内部２３６、２４８がそれぞれ設けられている。具体的には、例えば図７（ｂ）、図８（ｂ）に示すように、上側部材２２０のネジ２４４による締結位置（ネジ穴）の近傍には突部を有する組み付け案内部２３６が設けられ、下側部材２４０のネジ２４４の通し穴の近傍には貫通穴を有する組み付け案内部２４８が設けられている。上側部材２２０と下側部材２４０との組み付け作業において、組み付け案内部２３６の突部を組み付け案内部２４８の貫通穴に嵌合させることにより、上側部材２２０と下側部材２４０と組み付け位置を決定するとともに、双方の位置がずれないように仮固定することができるので、組み付け作業を効率的に行うことができる。
【００２７】
また、本実施形態においては、譜面立て取付部材２００の上側部材２２０は、上ケース１２２側に取り付け固定するための取付プレート２２４の形状や、上ケース１２２の背面に設けられたケース穴部１２８から露出する装着穴２３２とその周辺の形状やデザインの自由度や加工性を高めるために、樹脂材料（樹脂成形部品）により形成されている。一方、下側部材２４０は、上側部材２２０の装着穴２３２に譜面立て１８０が装着されることにより譜面立て取付部材２００に生じる回転モーメントにより下ケース１２４側の回転抑止部１５４を押圧する力（すなわち、譜面立て取付部材２００の回転を抑止する際に本体当接部２４２に加わる力）に耐え得る部品強度を実現するために、金属材料（板金プレス成形部品）により形成されている。このように、譜面立て取付部材２００として、基部である上側部材２２０と延長部である下側部材２４０とをネジ締めにより組み付けた構造を適用することにより、本体ケース１２０の高さ方向の寸法が異なる鍵盤楽器１００に対して、それぞれの高さ寸法に応じた長さを有する下側部材２４０を、単一の寸法を有する共通の上側部材２２０に組み付けた譜面立て取付部材を用いることができ、部品点数や種類の増加を抑制することができる。
【００２８】
（下ケース）
図９は、本実施形態に係る鍵盤楽器に適用される下ケースの要部を示す斜視断面図であり、図１０は、本実施形態に適用される下ケースと譜面立て取付部材との関係を示す要部断面図である。
【００２９】
本実施形態においては、図３、図９に示すように、本体ケース１２０の内部の鍵盤ユニット１６０の後方側（図面右方側）に、譜面立て取付部材２００の下端側の本体当接部２４２に当接する回転抑止部１５４が設けられている。回転抑止部１５４は、本体ケース１２０に譜面立て１８０が装着されたり、譜面立て１８０に譜面が載置されたり、或いは、譜面立て１８０に想定を超える過度の荷重が加わったりした場合に、譜面立て取付部材２００の本体当接部２４２に当接する位置に設けられ、本体当接部２４２における回転方向の力に対抗して回転を抑止することにより、譜面立て取付部材２００の本体固定部２２２を支点として生じる回転モーメントを打ち消す。
【００３０】
回転抑止部１５４は、具体的には、例えば図３、図９に示すように、本体ケース１２０の下ケース１２４の内面側に突出し、上記の回転モーメントによる譜面立て取付部材２００の下端側の回転方向（下ケース１２４の短手方向（図面左右方向））に沿って延在する板状のリブを有している。回転抑止部１５４は、本体ケース１２０の上ケース１２２の上面（天面）１４０側に内側から取り付けられた譜面立て取付部材２００に、譜面立て１８０が装着されていない状態、或いは、装着された譜面立て１８０に過度の荷重が加わっていない状態では、図１０に示すように、回転抑止部１５４のリブの一端側（図面右方側）が譜面立て取付部材２００の本体当接部２４２に対して僅かな間隙ＧＰを有して離間、又は、相互に応力が生じない程度に軽く接触するように配置されている。ここで、回転抑止部１５４のリブは、下ケース１２４の内面側に単独で突出するように設けられているものであってもよいし、下ケース１２４の内面側に設けられた他の部材（例えば図９、図１０に示すように、下ケース１２４の長手方向に延在して設けられた補強部材１５２等）にリブの他端側（図面左方側）が連結するように設けられているものであってもよい。
【００３１】
本実施形態に係る鍵盤楽器は、従来機種よりも楽器本体が小型化されていることを利点とする。しかし、小型化といっても、鍵盤楽器は鍵盤を備える構造上、楽器本体の形状は、鍵の配列方向（長手方向）の長さが鍵の前後方向（短手方向）の長さ及び鍵の上下方向の長さよりも長い、横長形状となる。また、本実施形態に係る鍵盤楽器は、複数の鍵それぞれにアクション荷重を付与する複数のハンマー部材１６６を備えるため、楽器本体の質量は、場合によって数キログラム以上になる。本実施形態に係る鍵盤楽器は、このような楽器本体の筺体強度を確保するための技術がいくつも施されているが、その１つが、下ケース１２４の長手方向に延在して設けられた補強部材１５２である。この補強部材１５２は、楽器本体の横長形状に起因する、楽器本体の両端よりも中央が下がるたわみや、それぞれ異なる方向の力が楽器本体の両端に加えられることにより生じるねじれに対する耐久性に優れている。しかしながら、この補強部材１５２は、下ケース１２４の長手方向に延在して設けられているため、鍵の前後方向から加えられる力に対する耐久性は、前記たわみや前記ねじれに対する耐久性に比べて弱い。しかし、譜面立て１８０側から楽器本体側に力が加えられることにより、譜面立て取付部材２００の一端に配置されている本体当接部２４２が鍵の前後方向（図１１における矢印Ａの方向が示す第２方向）に動く力が加えられる。この動く力に対する耐久性を強めるのが、回転抑止部１５４である。本実施形態に係る鍵盤楽器では、本体当接部２４２が補強部材１５２に直接当接することなく、本体当接部２４２が回転抑止部１５４に当接するので、本体当接部２４２を補強部材１５２に直接当接させるよりも、補強部材１５２の変形を抑えることができるという利点がある。
【００３２】
別な表現を用いて説明すると、本実施形態に係る鍵盤楽器では、補強部材１５２及び回転抑止部１５４で、本体当接部２４２の回転を抑止する回転抑止部材ともいえる。また、補強部材１５２は、下ケース１２４の長手方向に延在して設けられているが、その場合、補強部材１５２の鍵の前後方向の厚さ（長さ）において、本体当接部２４２が当接する部分の厚さは、本体当接部２４２が当接しない部分の厚さより厚くなる。本体当接部２４２が当接する部分に、回転抑止部１５４が設けられているためである。
【００３３】
（作用効果）
次に、本実施形態に係る鍵盤楽器１００における作用効果について説明する。
図１１は、本実施形態に係る鍵盤楽器に生じるモーメントを説明するための概略断面図であり、図１２は、本実施形態における作用効果を説明するための要部断面図である。
【００３４】
上述したような譜面立て取付部材２００が楽器本体の内部に設けられた鍵盤楽器１００において、図１１に示すように、譜面立て取付部材２００の装着穴２３２に譜面立て１８０が装着されたり、装着された譜面立て１８０に譜面が載置されたり、或いは、譜面立て１８０に想定を超える過度の荷重が加わったりして、譜面立て１８０の先端側を押し下げるような方向（図中矢印Ｐ；第１方向）に力が加わると、図１２に示すようなモーメントが生じる。すなわち、譜面立て１８０を力点部とし、譜面立て取付部材２００の上端側の取付プレート２２４を含む本体固定部２２２を支点部（図中Ｆ）として回転モーメントが発生し、本体ケース１２０の内部のどこにも固定されていない譜面立て取付部材２００の下端側の本体当接部２４２を作用点部として、図面左方向（図中矢印Ａ；第２方向）に回転（変位）させる力が働く。ここで、譜面立て１８０は、譜面や楽曲集、タブレット等が載置されるため、ある程度の高さ寸法を必要とするとともに、その先端側（図１１の右端部）が上方に突出するように本体ケース１２０に装着されている。そのため、譜面立て１８０の先端側に力が加わると大きなモーメントが生じて回転しやすい状態となる。
【００３５】
なお、本体固定部２２２は、上述したように、取付プレート２２４の全域が上ケース１２２側に密着して固定されている場合には、取付プレート２２４の全域が回転モーメントの支点部となり、上ケース１２２側から延在するボスにネジ締めにより固定されている場合には、当該ボスに密着している取付プレート２２４の取付穴２２６周辺の領域（図中ＦＡ）、及び、本体固定部２２２の最も装着穴２３２に近接し、上ケース１２２に接触している箇所（図中ＦＢ）を含む領域が支点部となる。また、本体固定部２２２は、上ケース１２２側のボスにネジ締めにより固定されるとともに、支持突起２２８が上ケース１２２側に密着している場合には、取付穴２２６周辺の領域（図中ＦＡ）、及び、本体固定部２２２の最も装着穴２３２に近接し、上ケース１２２に接触している箇所（図中ＦＢ）に加え、支持突起２２８が上ケース１２２に密着している箇所（図中ＦＣ）を含む領域が支点部となる。
【００３６】
本実施形態においては、上述したように、下ケース１２４の内面側に回転抑止部１５４が突出して設けられ、本体ケース１２０に譜面立て１８０が装着されていない状態、或いは、装着された譜面立て１８０に過度の荷重が加わっていない状態では、図１０に示したように、譜面立て取付部材２００の下端側の本体当接部２４２が僅かな間隙ＧＰを有して離間、又は、軽く接触するように回転抑止部１５４が配置されている。また、譜面立て１８０の先端側に力が加わった際に生じる大きな回転モーメントに対抗して釣り合うように、支点部となる譜面立て取付部材２００の上端側の本体固定部２２２から作用点部となる下端側の本体当接部２４２までの距離を長くするように、下側部材２４０の長手方向（図７の上下方向）の寸法が長く設定されている。
【００３７】
そのため、譜面立て取付部材２００に上記の回転モーメントが生じた場合には、図１２に示すように、譜面立て取付部材２００の下端側の本体当接部２４２が即座に下ケース１２４の回転抑止部１５４に当接する。このとき、回転抑止部１５４は、上記の回転モーメントにより譜面立て取付部材２００の本体当接部２４２から受ける力に対抗して、譜面立て取付部材２００の下端側の回転（矢印Ａに示す図面左方向への変位）を抑止する。
【００３８】
これにより、譜面立て１８０に過度の荷重が加わった場合であっても、本体ケース１２０の内部に設けられた譜面立て取付部材２００が回転モーメントを打ち消して、譜面立て装着部及びその周辺への負荷の集中を抑制することができるので、鍵盤楽器１００の外観デザインに影響を及ぼすことなく、本体ケース１２０の変形や破損を防止することができる。
【００３９】
ここで、本実施形態においては、本体ケース１２０に組み込まれた鍵盤ユニット１６０の後方側において、譜面立て取付部材２００の上端側を本体ケース１２０の上ケース１２２側に取り付け固定し、下端側を下ケース１２４方向に延長することにより、本体ケース１２０の高さ方向に延在させた形態について説明した。本発明の一実施形態である鍵盤楽器においては、鍵に荷重を付与する鍵盤機構を備える構造上、高さ方向にある程度の寸法を確保しておく必要があるため、製品を小型化するために、鍵盤楽器の前後方向となる本体ケース１２０の短手方向の寸法を小さくする手法を採用した。本実施形態においては、このように製品を小型化した場合であっても、ある程度の寸法が確保されている本体ケース１２０の鍵盤ユニット１６０の後方側の空間の高さ方向に着目して、譜面立て取付部材２００を高さ方向に延在させた形態を適用することにより、小型化された製品であっても譜面立て１８０に過度の荷重が加わった場合に生じる回転モーメントを良好に打ち消すことができる。なお、本発明は、この形態に限定されるものではなく、本体ケース１２０の短手方向に十分な寸法と空間を確保することができる場合には、譜面立て取付部材２００を短手方向に延在させた形態を適用するものであってもよい。
【００４０】
また、本実施形態においては、少なくとも本体ケース１２０に装着された譜面立て１８０に過度の荷重が加わった場合に、譜面立て取付部材２００の本体当接部２４２が下ケース１２４に設けられた回転抑止部１５４に当接して譜面立て取付部材２００の下端側の回転を確実に抑止することができればよい。したがって、上ケース１２２と下ケース１２４を組み付けて本体ケース１２０を製造する際には、譜面立て取付部材２００の本体当接部２４２は、下ケース１２４の回転抑止部１５４に接触していない状態、又は、軽く接触した状態にあればよいので、本体ケース１２０を製造する際に高い組み付け精度を必要とせず、効率的に組み付け作業を行うことができる。
【００４１】
なお、上述した実施形態においては、譜面立て取付部材２００として、上側部材２２０を樹脂材料により形成し、下側部材２４０を金属材料により形成して、これら二部品を一体的に組み付けた形態について説明した。本発明は、これに限定されるものではなく、例えば、譜面立て取付部材２００の、装着穴２３２及びその周辺部分を除く略全体を金属材料（板金プレス成形部品）により形成し、インサート成形法等を用いて、装着穴２３２とその周辺部分を樹脂材料により形成することにより、譜面立て取付部材２００を予め一体化された一部品により実現するものであってもよい。これにより、譜面立て取付部材２００を構成する部品点数を削減することができるとともに、組み付け作業工数を削減することができる。また、装着穴２３２とその周辺部分を除く譜面立て取付部材２００の略全体が金属材料により形成されているので、本体固定部２２２及び本体当接部２４２の強度を高く設定することができるとともに、装着穴２３２とその周辺が樹脂材料により形成されているので、装着穴２３２の形状やデザインの自由度を良好に確保することができる。
【００４２】
また、本発明は、譜面立て取付部材２００を、樹脂材料と金属材料との異なる材料により形成した形態に限定されるものではなく、譜面立て取付部材２００の上端側の形状やデザインの自由度を確保することができ、かつ、下端側の強度を高く設定することができるものであれば、譜面立て取付部材２００の全体を単一の材料（樹脂材料又は金属材料等）により形成するものであってもよい。ここで、譜面立て取付部材２００は、例えば二色成形法等を用いて、上端側と下端側のそれぞれの特性に応じた材質を適用するものであってもよい。これにより、譜面立て取付部材２００を予め一体化された一部品により実現することができ、譜面立て取付部材２００を構成する部品点数を削減することができるとともに、組み付け作業工数を削減することができる。
【００４３】
また、本実施形態においては、本体ケース１２０に装着された譜面立て１８０に過度の荷重が加わっていない状態で、譜面立て取付部材２００の下端側が下ケース１２４のどこにも固定されていない自由端の状態に設定することにより、本体ケース１２０を組み付ける際に高い精度を必要としないという特長について説明した。本発明はこれに限定されるものではなく、本体ケース１２０を製造する際に高い組み付け精度を確保することができる場合には、譜面立て取付部材２００の下端側を予め本体ケース１２０（下ケース１２４）にネジ締め等により固定した形態を適用するものであってもよい。これにより、本体ケース１２０内で譜面立て取付部材２００が上ケース１２２及び下ケース１２４の双方に強固に固定されることになるので、譜面立て１８０に過度の荷重が加わった場合に限らず、本体ケース１２０の強度を向上させて変形や破損を防止することができる。
【００４４】
また、本実施形態においては、本体ケース１２０の背面側に譜面立て１８０を装着した形態について説明したが、本発明はこれに限定されるものではなく、本体ケース１２０の上面（天面）１４０に装着穴が露出する形態を有する譜面立て取付部材を内部に設け、譜面立て１８０を本体ケース１２０の上面側に装着するものであってもよい。
【００４５】
以上、本発明のいくつかの実施形態について説明したが、本発明は、上述した実施形態に限定されるものではなく、特許請求の範囲に記載された発明とその均等の範囲とを含むものである。
以下に、本願出願の当初の特許請求の範囲に記載された発明を付記する。
【００４６】
（付記）
［１］
楽器ケースに固定されている固定部と、譜面立て部材を装着するための装着部と、前記譜面立て部材が前記装着部に装着されている状態で前記譜面立て部材に対して加えられた第１方向への力に応じて第２方向への力が生じる作用点部と、を含む取付部材を備え、
前記楽器ケースには、前記作用点部に生じる前記第２方向への力に対抗する対抗部材が前記作用点部に対応して設けられていることを特徴とする楽器。
【００４７】
［２］
［１］に記載の楽器において、
前記作用点部は前記楽器ケース内で固定されていないことにより、前記譜面立て部材に対して前記第１方向に力が加えられたときに、前記作用点部は前記第２方向に変位することを特徴とする楽器。
【００４８】
［３］
［１］又は［２］に記載の楽器において、
前記固定部と、前記装着部と、は、第１の部材に設けられ、
前記作用点部は、第２の部材に設けられている、
ことを特徴とする楽器。
【００４９】
［４］
［３］に記載の楽器において、
前記第１の部材は、樹脂材料により成形され、
前記第２の部材は、金属材料により成形されている、
ことを特徴とする楽器。
【００５０】
［５］
［３］又は［４］に記載の楽器において、
前記第２の部材は、前記第２方向への力に対抗するように、少なくとも前記取付部材の前記固定部側で前記第１の部材を固定していることを特徴とする楽器。
【００５１】
［６］
［１］乃至［５］のいずれかに記載の楽器において、
前記対抗部材は、前記第２方向への力に対抗するために突出している突出部を含み、
前記譜面立て部材に対して前記第１方向に力が加えられたときに、前記作用点部が前記突出部に当接することを特徴とする楽器。
【００５２】
［７］
［１］乃至［６］のいずれかに記載の楽器において、
前記固定部は、前記楽器ケースの上側に固定されており、
前記作用点部及び対抗部材は、前記楽器ケースの下側に設けられている、
ことを特徴とする楽器。
【００５３】
［８］
［１］乃至［７］のいずれかに記載の楽器において、
前記楽器ケース内に鍵盤が設けられており、
前記取付部材及び前記対抗部材は、前記鍵盤の後方側に設けられている、
ことを特徴とする楽器。
【符号の説明】
【００５４】
１００    鍵盤楽器
１２０    本体ケース
１２２    上ケース
１２４    下ケース
１２６    内ケース
１２８    ケース穴部
１４０    上面
１５４    回転抑止部
１６０    鍵盤ユニット
１８０    譜面立て
１８４    装着突起部
２００    譜面立て取付部材
２２０    上側部材
２２２    本体固定部
２２４    取付プレート
２３２    装着穴
２４０    下側部材
２４２    本体当接部
【図１】
2020101633.tif 000003
【図２】
2020101633.tif 000004
【図３】
2020101633.tif 000005
【図４】
2020101633.tif 000006
【図５】
2020101633.tif 000007
【図６】
2020101633.tif 000008
【図７】
2020101633.tif 000009
【図８】
2020101633.tif 000010
【図９】
2020101633.tif 000011
【図１０】
2020101633.tif 000012
【図１１】
2020101633.tif 000013
【図１２】
2020101633.tif 000014